(57)【要約】シリンダーキー、ビットキー、レーザーキー、特殊マルチアングルキーの任意の２つあるいはそれ以上のキーを含む、複数の主要等級のキーから成るキーグループの任意のキーをクランプ及び切削することのできる単一のキー製造機が提供される。キー製造機には、スロッター（１）と、円形の切削ホイール（３）と、エンドミル（８）とが含まれる。
2006510832.tif 000002
【特許請求の範囲】
【請求項１】
キー製造機であって、
a.任意のグループのキーをクランプするためのクランプ手段にして、
i.前記グループが複数の主要等級のキーを含み、
ii.前記主要等級のキーが、シリンダーキー、ビットキー、レーザーキー、特殊マルチアングルキー、の任意の２つあるいはそれ以上を含むクランプ手段と、
b.複数の主要等級のキーから任意に予備選択したキーを切削するためのキー切削手段と、
を含むキー製造機。
【請求項２】
キー切削手段が、複数の主要等級のキーから任意に予備選択したキーの最初のキーが一次切削されたことを表す制御信号を発生する手段を含み、該制御信号を使用して、前記複数の主要等級のキーから任意に予備選択した他のキーを同様に切削する請求項１のキー製造機。
【請求項３】
キークランプ手段が、対向する一対のジョーを有するクランプを含む請求項１のキー製造機。
【請求項４】
複数の主要等級から任意に予備選択したキーがブレードを有し、対向する一対のジョーが、前記任意に予備選択したキーのブレードと作動上係合する請求項３のキー製造機。
【請求項５】
キー切削手段が、スロッター、円形切削ホイール、エンドミルカッター、の少なくとも２つを含む請求項１のキー製造機。
【請求項６】
切削中にブレードを支持するための、キー切削手段とは無関係に可動のブレード支持手段を更に含む請求項１のキー製造機。
【請求項７】
ブレード支持手段が、切削中はキークランプ手段とは無関係に可動である請求項６のキー製造機。
【請求項８】
a.キー切削手段がマルチアングルキー切削手段を含み、
i.マルチアングルキーがブレードを有し、
ii.マルチアングルキー切削手段が、切削中にブレード支持手段とは無関係であるマルチアングルキー切削手段と、
b.キークランプ手段が、切削するべきチアングルキーをクランプするためのマルチアングルキークランプ手段を含み、
i.マルチアングルキークランプ手段が、キー切削手段とは無関係に可動であるマルチアングルキークランプ手段と、
を含む請求項１のキー製造機。
【請求項９】
a.キークランプ手段がミルカットキークランプ手段を含み、
i.ミルカットキーが、その両サイドを切削するべきブレードを有し、
b.キー切削手段がミルカットキー切削手段を含み、
i.ミルカットキークランプ手段が、ミルカットキー切削手段とは無関係に可動であり、かくして、ミルカットキークランプ手段内のミルカットキーを再固定することなく前記ブレードの両側が切削され得る請求項１のキー製造機。
【請求項１０】
キー製造機であって、
a.任意のグループにおけるキーをクランプするためのキークランプ手段にして、
i.前記グループが複数の主要等級のキーを有し、各主要等級のキーがブレードを有し、
ii.主要等級のキーが、シリンダーキー、ビットキー、レーザーキー、特殊マルチアングルキー、の任意の２つあるいはそれ以上を含み、
iii.キークランプ手段が、対向する一対のジョーを有するクランプを含み、対向する一対のジョーが前記複数の主要等級のキーから任意に予備選択した１つのキーと作動上係合し、
iv.キークランプ手段が、切削するべきマルチアングルキークランプ手段を含み、
（１）該マルチアングルキークランプ手段が、キー切削手段とは無関係に可動であり、
v.キークランプ手段が、その両サイドを切削するべきブレードを備えるミルカットキーをクランプするためのミルカットキークランプ手段を含み、
（１）ミルカットキークランプ手段が、キー切削手段とは無関係に可動であり、かくして、ミルカットキークランプ手段内のミルカットキーを再固定することなく前記ブレードの両側が切削され得、
b.シリンダーキー、ビットキー、レーザーキー、の任意のキーの切削中に該キーのブレードを支持するためのブレード支持手段にして、
i.切削中にキー切削手段とは無関係に可動であり、
ii.切削中はキークランプ手段とは無関係に可動であるブレード支持手段と、
c.複数の主要等級から任意に予備選択したキーを切削するためのキー切削手段にして、
i.スロッター、円形トレース切削ホイール、エンドミルカッターの少なくとも２つを含み、
（１）切削中はブレード支持手段とは無関係の、マルチアングルキー切削手段を含み、
（２）ミルカットキーを切削するためのミルカットキー切削手段を含むキー切削手段と、
を含むキー製造機。
【請求項１１】
キー切削手段が、複数の主要等級から任意に予備選択した１つの等級のキーの最初のキーを切削したことを表示する制御信号を創出する手段を含み、該制御信号を使用して、複数の主要等級から任意に予備選択した等級の他のキーを補切削する請求項１０のキー製造機。
【請求項１２】
キー製造機であって、
a.ブレードを有するキーを切削するためのキー切削手段と、
b.切削中にブレードを支持するためのブレード支持手段にして、
i.キー切削手段とは無関係に可動であり、かくして、切削するべき第１部分及び第２部分を有するブレードが、ブレードの前記第１部分を切削する間は第１位置に配置したブレード支持手段によって第１の側が支持され得、ブレードの前記第２部分を切削する間は第２位置に配置したブレード支持手段によって第２の側が支持され得るキー製造機。
【請求項１３】
キー切削手段が、最初キーが一次切削されたことを表示する制御信号を創出する手段を含み、該制御信号を使用して他の前記第１のキーを補切削する請求項１２のキー製造機。
【請求項１４】
ブレード支持手段がアンヴィルを含む請求項１２のキー製造機。
【請求項１５】
キー切削手段が第１接触面及び第２接触面を有し、アンヴィルが、第１接触面を横断する第１面と、第２接触面を横断する第２面とを有する請求項１４のキー製造機。
【請求項１６】
アンヴィルが、第１接触面と直交する第１面と、第２接触面と直交する第２面とを有する請求項１５のキー製造機。
【請求項１７】
アンヴィルが、内側接触面を備えるフレーム形状体を有する請求項１６のキー製造機。
【請求項１８】
キー製造機であって、
a.切削するべきキーをクランプするためのキークランプ手段にして、
i.前記キーがブレードを有するキークランプ手段と、
b.ブレード支持手段にして、
i.切削中はキークランプ手段とは無関係に可動であるブレード支持手段と、
を含むキー製造機。
【請求項１９】
最初のキーが一次切削されたことを表示する制御信号を創出する手段を含み、該制御手段を使用して、前記最初のキーとは別のキーを補切削する請求項１８のキー製造機。
【請求項２０】
ブレード支持手段は、切削を開始する以前に、ブレードを支持する位置に独立して移動される請求項１８のキー製造機。
【請求項２１】
キー製造機であって、
a.マルチアングルキー切削手段にして、
i.ブレードを有し、
ii.切削中はブレードを支持するための手段とは無関係とされるマルチアングルキー切削手段と、
b.切削するべきマルチアングルキーをクランプするためのマルチアングルキークランプ手段にして、
i.マルチアングルキー切削手段とは無関係に可動であるマルチアングルキークランプ手段と、
を含むキー製造機。
【請求項２２】
マルチアングルキー切削手段が、最初のキーが一次切削されたことを表示する制御信号を創出する手段を含み、該制御手段を使用して、前記最初のキーとは別のキーを補切削する請求項２１のキー製造機。
【請求項２３】
マルチアングルキー切削手段が、切削ホイールを含む請求項２１のキー製造機。
【請求項２４】
切削ホイールがスロッターである請求項２３のキー製造機。
【請求項２５】
マルチアングルでの複数の切削の各々がマルチアングルキーのブレードに、該ブレードとスロッターとを、該スロッターの周囲に沿った複数の別個の接線方向位置の１つの位置で切削上接触させることにより実施され得る請求項２４のキー製造機。
【請求項２６】
キー製造機であって、
a.ミルカットキークランプ手段にして、
i.ミルカットキーが、その両サイドを切削するべきブレードを有するミルカットキークランプ手段と、
b.ミルカットキー切削手段にして、
i.前記ミルカットキークランプ手段が該ミルカットキー切削手段とは無関係に可動であり、かくして、前記ブレードが、ミルカットキークランプ手段内でミルカットキーを再固定することなくその両サイドを切削され得るキー製造機。
【請求項２７】
ミルカットキー切削手段が、最初のキーが一次切削されたことを表示する制御信号を創出する手段を含み、該制御手段を使用して、前記最初のキーとは別のキーを補切削する請求項２６のキー製造機。
【請求項２８】
アンヴィルを更に含み、ミルカットキー切削手段が切削工具を含み、前記アンヴィルが、該ミルカットキー切削手段及びミルカットキークランプ手段とは無関係に可動である請求項２６のキー製造機。
【発明の詳細な説明】
【技術分野】
【０００１】
本発明は、一般にキー、即ち鍵の製造方法及び製造装置に関し、詳しくは、世界的に普及している４種類（class）のキー、即ちメインキーを単一装置で製造する汎用キー製造機に関する。
【背景技術】
【０００２】
１８４４年に至る数百年間、殆ど全ての錠では万能タイプのキー（skeleton type key)が使用された。このタイプのキーはビットキーあるいはダブルビットキーとも呼ばれ、世界の各地で今尚、広く使用されている。ビットキー製造機はこうしたキーに特有の四角い切り欠きを横置き型の切削ホイールを使用してカッティングするものであるが、その原理は、電気モーターの出現以降はモーター駆動されるようになった点を除き数百年間変わっていない。
【０００３】
１８４４年、Linus Yale Sr.が、“V”字形の切り欠きを持たせた小型の平形キーによって可動ピンを持ち上げるまで、この可動ピンがボルトを然るべく保持するようにした新型錠前の特許を取得した。２０世紀の半ばまでにはこの錠前、即ちピンタンブラー錠と、便利な小さい平形キーとは非常に一般的なものとなり、実際に世界中の自動車用、家庭用、南京錠用の国際基準となった。このキーはしばしば“Yaleタイプキー”若しくは“ブレードキー”と称され、世界中で最もよく知られるものである。
【０００４】
“Yaleタイプキー”を複製するためには、横置き型の“孔開け”用ホイールを使用して四角い切り欠きを切刻するビットキー製造機に代えて、“V”字形の切り欠きに合致する“V”字形の形状切削（trace cutting）ホイールを使用する新型のキー製造機が必要となり、結局、２種類のキーを切削するための２台のキー製造機が別個に作製された。ここから、錠前タイプが新しくなる度に新形のキー製造機が作製される伝統が始まった。
【０００５】
１９７０年代後半及び１９８０年代前半になって、西側社会で“Yaleタイプキー”を装備した自動車がピッキングあるいはカム送りによって解錠されて盗まれ、直ぐに売れる旧ソビエト連邦の閉鎖的な衛星国に輸出されたことから、ヨーロッパの保険会社及び自動車メーカーは、新型の錠及びこの錠用のキーを製造して施錠システムを改善する運動を始めた。
【０００６】
自動車メーカーがこの新施錠システムを自社の車に装着するようになるに従い、この錠に合う新型のキーを切削するキー製造機の錠前ショップへの販売台数も急増した。このタイプの安全錠、即ちセキュリティキーは家屋用及び小型錠用としても普及し、結局、１９５０年には２台（ビットキー用とYaleタイプキー用の）だった錠前ショップのタイプの異なるキー製造機の数は、２００２年の初めには２０台あるいはそれ以上となった。
【０００７】
２０台のこれらの各キー製造機は多少なりとも自動化され、及びあるいは暗号（code）切削あるいは形状切削（trace cutting）が可能である。しかしながら、キー製造機で切削するキーには基本となる主要な４つの種類（class）があり、ある種類のキーを切削するキー製造機は切削ホイールを替えるかマシンの治具機構を再設定しないと他の種類のキーを切削することが出来ない。
【０００８】
キーの４つの種類には以下のものがある。
１）シリンダーキーあるいはV字カットキー：Ford車におけるような、片方の縁部あるいは両縁部を切削したキーであり、http://www.silca.it/download/brochure/eng/KeyMachines/bravogbD01.pdf.のSilca Bravo Superキー製造機、あるいはhttp://www.silca.it/download/brochure/eng/KeyMachines/399gbD01.pdf.の、電子暗号切削用のSilca Unocodeキー製造機、若しくは、Silca Formula XあるいはHPC暗号製造機におけるような形状切削ホイールを使用して切削可能である。
２）ビットキー：スクエアノッチキー、モーティス（ほぞ穴）キー、レバーキーあるいはスケルトンキーとも称され、ダブルビットキーが含まれる。こうしたキーを切削するためには、http://www.silca.it/download/brochure/eng/KeyMachines/techgbD01.pdf.のSilca Tech 3 Europaのような、立削りホイールあるいはスロッターホイール（あるいは単にスロッター）を使用する必要がある。
３）特殊マルチアングルキー：スクエアノッチアングルキーとも称され、Tibbeキー、Abloyキー、Ford Chubbキー、Ford FO 19キーが含まれる。これらのキーは、http://www.silca.it/download/brochure/eng/KeyMachines/delmcgbD01.pdf.のSilca Delta 2000 MC Multi Copyの様なキー製造機で製造される。
４）レーザーキー：サイドミル(side milled)キー、エンドミル(end milled)キー、ミルド（milled）キーとも称され、ディンプル（dimple）キーが含まれる。ディンプルキーは、切削工具を平削り工具から丸形（round）工具に替え、エンドミルカッター及び別の治具を用いて形成した、メルセデス車のキーやチューブキーにおけるような屈曲した溝とは対照的なディンプルをキーに彫り込むことで切削することができる。このタイプのキー製造機では、http://www.silca.it/download/brochure/eng/KeyMachines/4codegbD01.pdf.のSilca Quattrocodeにおけるような様々のミル工具あるいはディンプル工具が使用される。
【０００９】
上述した特殊キー製造機の形態を有し、各々特殊な切削ホイール及び治具を備えた別の技術を本発明で利用することができる。単一のキー製造機で任意の２つの種類のキーを切削することのできるキー製造機はこれまでに無かった。
【発明の開示】
【発明が解決しようとする課題】
【００１０】
本発明によれば、世界中でよく知られる４タイプのキーを１台のキー製造機で製造する汎用のキー製造機が提供される。
【課題を解決するための手段】
【００１１】
本発明は、複数の主要種類のキーを含む任意のキーグループにおけるキーをクランプするためのキークランプ手段と、複数の主要種類のキーから任意に予備選択したキーを切削するキー切削手段とを備える単一のキー製造機に関わるものである。
任意に予備選択したキーの１つを支持するためのキー支持手段のみならず、キー切削手段と、キークランプ手段とが提供される。キー支持手段はキー切削手段とは無関係に可動であり、また、切削プロセス中はキークランプ手段と無関係に可動でもある。
【００１２】
キー切削手段は、ブレード付きのマルチアングルキーを切削するためのマルチアングルキー切削手段を更に含み得る。マルチアングルキー切削手段には、切削中にブレードを支持するためのブレード支持手段はない。キークランプ手段は切削するべきマルチアングルキーをクランプするための、キー切削手段とは無関係に可動のマルチアングルキークランプ手段を含む。
キークランプ手段は更に、ブレードの両サイドを切削するべきミルカットキーをクランプするためのミルカットキークランプ手段を更に含み得る。キー切削手段は、ミルカットキーを切削するためのミルカットキー切削手段を含み得、キークランプ手段はこのキー切削手段とは無関係に可動である。ブレードは、キークランプ手段内でミルカットキーを再固定あるいは再設定し直すこと無くその両側部を切削され得る。
【００１３】
以上、本発明の重要な特徴を、以下の詳細な説明をより良く理解するため並びに斯界における貢献性が認識され得るよう概略したが、今後詳しく説明され、また発明の主要事項を形成するその他の特徴が存在する。
【発明の効果】
【００１４】
キー製造機業界によれば、各錠前製造業者は基本の４タイプの中の１つの錠と、この錠を開けるキーとを採用している。キーの４タイプとは、１）しばしばV字カットキーと呼ばれるシリンダーキー、２）しばしばスクエアノッチキーと呼ばれるビットキー、３）しばしばスクエアノッチアングルキーと呼ばれる特殊マルチアングルキー、４）しばしばエンドミルキーと呼ばれるレーザーキー、とである。
【００１５】
様々の錠前製造業者ではこれら４タイプの錠が大量生産されると同時に、各錠に対応する２つ以上のオリジナルキーの夫々が、噛み合い歯切刻用の、１００，０００ドル以上もする工業用の大型高速切刻機（biting machine）を用いて大量生産される。各切刻機は、特定タイプのキーを製造するためのみならず、単一のキープロファイル及び、例えばラバーハンドル付きの特殊ブランク素材を製造するべく設定される専用装置である。こうした工業用装置では毎分１０個若しくはそれ以上の割合でオリジナルの暗号切削キーが製造される。
【００１６】
これらの錠及びキーを市場に投入し、自動車、家屋、オフィス、小型錠などの小売り客に販売した後で、ずっと小型の、１〜５分に１個の合い鍵を製造する合い鍵製造機を使用して、客の要求する追加の合い鍵を製造する必要がある。色々なキー製造業者によって、４タイプの、各キー専用の小型の合い鍵製造機が製作された。これら４タイプの各キー製造機には、その程度によって値段が上下する自動化オプションが用意される。しかし、どれほど自動化されようとも専用装置で切削できるキータイプは１種類にしか過ぎない。４タイプの各キー製造機には、暗号切削用の、同じくその程度に応じて値段が上下する別のオプションもある。しかしこの場合でも、専用装置で切削されるキータイプは１つである。例えばSilca社のILCO UNICAN部門が販売する全自動型の暗号切削用＃４エンドミル機は２０，０００ドル以上であるが、手動式の暗号切削用のエンドミル機は僅か５，０００ドルである。しかし、値段あるいはオプションに関わらず、各装置で切削されるキーはこの装置専用のタイプのもののみである。４タイプの各キー製造機には数多くのオプションがあって価格範囲も広いが、各キー製造機で製造されるキーはそのキー製造機自身のタイプのもののみである。今日、錠前ショップその他におけるこうしたキー製造機は１０万種類に及んでいる。
【００１７】
本発明によれば、切削用ホイール、治具（即ちクランプ様式）、キー切削機の全てを変更することなく、４種類のキーの任意の２つあるいはそれ以上が自動で切削されるようになる。
オールインワン型の汎用装置は使い方が簡単である他に、夫々が独自の命令セットを有していることから習得するのが難かしい、２０種類あるいはそれ以上のキー切削機モデルに取って代わる効果がある。本発明では、４種類全てのキーが製造対象に含まれ得る。
また、装置が１台ではなく多数存在していると、各装置を夫々の基準に基づいて定期的に較正しなければならず、従って管理も難しい。本発明では１台の装置が一回較正され、しかも全４種類のキーが製造される。
小売店のフロアコストは高く付くが、１台の装置を多数の装置に代替させることで無駄なフロアスペースを減らすこともできる。
【実施例】
【００１８】
図面に例示した各好ましい実施例には単一のキー製造機が示され、あるキーグループの任意のキーをクランプするためのキークランプ手段と、複数の主要種類から任意に予備選択したキーを切削するためのキー切削手段とを含んでいる。キーグループには複数の主要種類のキーが含まれ、主要種類のキーには、シリンダーキー、ビットキー、レーザーキー、特殊マルチアングルキーの任意の２つあるいはそれ以上が含まれる。
【００１９】
図１〜図８には本発明の好ましい実施例が示され、あるキーグループの任意のキーをクランプするためのキークランプ手段５と、複数の主要種類から任意に予備選択したキーを切削するためのキー切削手段４とを含むキー製造機を含んでいる。キーグループには、シリンダーキー１８、ビットキー１６、レーザーキー１４、特殊マルチアングルキー１２、の任意の２つあるいはそれ以上を含む複数の主要種類のキーが含まれる。
【００２０】
キー切削手段４は、図８に示すように、複数の主要種類から任意に予備選択したある種類のキーの最初の１つが切削されたことを表示する制御信号を創出する手段を含み、この制御信号２２を使用して、前記複数の主要種類から任意に予備選択したキーの別の１つを同様に（correspondingly）に切削することが好ましい。
キークランプ手段５は、図５に最も良く示されるように、一対の対向するジョーを有するクランプ（あるいはジョー）６を含み得る。
【００２１】
キー切削手段４は、スロッター１、円形切削ホイール３、エンドミルカッター８、の内の少なくとも２つを含むことが好ましい。
本発明のキー製造機は更に、キーのブレード７、詳しくはレーザーキーのブレード７を切削中に支持するためのブレード支持手段９を有し得る。このブレード支持手段９は、切削中はキークランプ手段５とは無関係に可動でもある。
【００２２】
キー切削手段４は、ブレード７を有するマルチアングルキーを切削するための手段を更に含むことが好ましい。マルチアングルキーを切削するためのこの手段は、切削中にブレードを支持するブレード支持手段９を持たない。また、キークランプ手段５は、キー切削手段４とは無関係に可動の、マルチアングルキーをクランプするためのキークランプ手段を含んでいる。
キークランプ手段５は更に、両サイドを切削するべきブレード７を有するミルカットキーをクランプするためのキークランプ手段を含み得る。キー切削手段４は、ミルカットキーを切削するための手段を含み、キークランプ手段５はキー切削手段４とは無関係に可動である。図２に示されるように、ブレード７はキークランプ手段５内で再固定することなく、その両サイドが切削され得る。
【００２３】
好ましい実施例におけるキー製造機は、あるグループの任意のキーをクランプするためのキークランプ手段５と、シリンダーキー１８、ビットキー１６、レーザーキー１４の内の任意のキーのブレードを支持するための支持手段と、複数の主要種類のキーから任意に予備選択したキーを切削するためのキー切削手段４とを含む。キーグループは、各々がレード７を有する複数の主要種類のキーを含み、主要種類のこれらキーには、シリンダーキー、ビットキー、レーザーキー、特殊マルチアングルキー、の任意の２つあるいはそれ以上が含まれる。
キークランプ手段５はクランプ６を含み、クランプ６は、複数の主要種類のキーから任意に予備選択した１つのキーと作動上係合する一対の対向するジョーを有している。キークランプ手段５は、切削するべきマルチアングルキー１２をクランプするための、キー切削手段４とは無関係に可動のマルチアングルキークランプ手段を含む。
【００２４】
キークランプ手段５は、両サイドを切削するべきブレード７を持つミルカットキーをクランプするための、キー切削手段４とは無関係に可動のミルカットキークランプ手段を更に含む。これにより、ブレード７はキークランプ手段５内でミルカットキーを再取り付けすることなく両サイドを切削され得る。
シリンダーキー、ビットキー、レーザーキーの任意の１つのキーの切削中にこのキーのブレード７を支持するブレード支持手段９はキー切削手段４とは無関係に可動であり、図２に示すように、切削中はキークランプ手段５とも無関係に可動である。また、複数の主要種類のキーから任意に予備選択したキーを切削するためのキー切削手段４は、スロッター１、円形切削ホイール１３、エンドミルカッター８、の内の少なくとも２つを含む。キー切削手段４は、図４に示すように、切削中はブレード支持手段とは無関係に可動の、マルチアングルキー切削手段と、ミルカットキー切削手段とを含む。
【００２５】
キー切削手段４は、複数の主要種類から任意に予備選択した種類のキーの最初の１つが切削されたことを表示する制御信号を発生する手段を含み、この制御信号を使用して、前記複数の主要種類から任意に予備選択した種類の前記キーの別の１つを補（complementary）切削することが好ましい。
【００２６】
キー製造機の別の実施例は、ブレード７を有するキーを切削するためのキー切削手段４と、切削中にブレードを支持するためのブレード支持手段とを含む。ブレード支持手段は、キー切削手段４とは無関係に可動であり、かくして、切削するべき第１部分及び第２部分を有するブレード７が、図１及び図２に夫々示すように、第１部分を切削する際は第１位置に配置したブレード手段によって第１部分が支持され、他方、第２部分を切削する際は第２位置に配置したブレード手段によって第２部分が支持され得る。レーザーキーの上部及び底部に、エンドミルカッターの底部及び上部によって各溝が切削され得る。
キー切削手段４は、図８に示すように、最初のキーが切削されたことを表示する制御信号２２を発生する手段を含み、この制御信号２２を使用して、前記キーの別の１つを補切削することができる。
【００２７】
ブレード支持手段９はアンヴィル２を含み得る。アンヴィルは、キー切削手段４の第１接触面を横断する第１面と、キー切削手段の第２接触面を横断する第２面とを有することが好ましい。アンヴィルは、キー切削手段４の第１接触面と直交する第１直交面と、キー切削手段の第２接触面と直交する第２直交面とを有する。図１及び２に示す好ましい１実施例ではアンヴィルは内側接触面２bを備えたフレーム形状体２aを有する。
【００２８】
他の実施例において、キー製造機は、ブレード７を有する被切削キーをクランプするキークランプ手段５と、ブレード７を支持するブレード支持手段９とを含む。ブレード支持手段９は、切削中はキークランプ手段５とは無関係に可動である。
キー製造機は、最初のキーが切削されたことを表示する制御信号を発生する手段を更に含み、この制御信号２２を使用して、前記キーの別の１つを補切削することができる。
ブレード支持手段は、切削を開始する以前に、ブレード７を支持する位置に独自に移動することも可能である。
他の実施例におけるキー製造機は、マルチアングルキーを切削するためのマルチアングルキー切削手段と、切削するべきマルチアングルキーをクランプするためのマルチアングルキークランプ手段５と、を含む。マルチアングルキーはブレード７を有する。キー切削手段４は切削中はブレード支持手段とは無関係とされ、キークランプ手段５はキー切削手段４とは無関係に可動である。
キー切削手段４は、最初のマルチアングルキーが切削が実施されたことを表示する制御信号を発生する手段を含み、この制御信号を使用して、前記マルチアングルキーの別の１つを補切削することが好ましい。
【００２９】
図１に示すように、キー切削手段４は切削ホイール３を含み得る。
図１、図３〜図４及び図６を参照するに、キー切削手段４は立削り盤あるいはスロッター１を含み得る。図３に示すように、スロッター１の周囲に沿った複数の接線方向位置の１つの位置でブレード７とスロッターとを接触させることにより、複数のマルチアングルカットがブレード７に形成され得る。
図２を参照するに、本発明のキー製造機の他の好ましい実施例が示され、両サイドを切削するべきブレード７を有するミルカットキーをクランプするためのミルカットキークランプ手段と、このミルカットキーを切削するためのミルカットキー切削手段とが含まれ、キークランプ手段はキー切削手段４とは無関係に可動とされている。かくして、ブレード７はキークランプ手段５内でミルカットキーを再取り付けすることなくその両サイドが切削され得る。キー切削手段４は、最初のミルカットキーが切削されたことを表示する制御信号を発生する手段を含み、この制御信号を使用して、前記最初のミルカットキーの別の１つを補切削することが好ましい。
【００３０】
キー製造機はアンヴィル（２、２a）を含み得、キー切削手段４は切削工具を含み得る。アンヴィル２aは、図１に示すように、キークランプ手段５及び切削工具（即ちエンドミルカッター８）の何れに関しても無関係に可動である。
以上、本発明を実施例を参照して説明したが、本発明の内で種々の変更をなし得ることを理解されたい。
【図面の簡単な説明】
【００３１】
【図１】本発明の、複数の基本となる主要種類から任意に予備選択したキーを切削するための手段と、夫々がキーのブレードの何れかの側の切削を支持する、スロッター、円形切削ホイール、円形切削ホイールの各側の支持アンヴィル、を備えたミルカッターと、エンドミルカッターによって切削されるレーザーキーを支持する、個別に可動のアンヴィルを備える汎用切削機の斜視図である。
【図２】アンヴィルで支持され、エンドミルカッターによって溝が切削されたレーザーキーを示す、本発明の汎用切削機の部分詳細斜視図である。
【図３】マルチアングルキーのブレードを切削するためのスロッターをブレードと切削上接触させる使用状況を、複数の別個の接線方向位置で示した例示図である。
【図４】スロッターにより切削するべきマルチアングルキーをキークランプ手段で位置決めする状況を例示する部分斜視図である。
【図５】可動のキークランプ手段の部分斜視図である。
【図６】スロッターにより切削するべく位置決めしたビットキーの部分斜視図である。
【図７】円形切削ホイールにより切削するべく位置決めしたシリンダーキーの部分斜視図である。
【図８】キー製造機の電子関連部品のブロックダイヤグラム図である。
【符号の説明】
【００３２】
１  スロッター
２、２a  アンヴィル
３  円形切削ホイール
４  キー切削手段
５  キークランプ手段
６  クランプ
７  ブレード
８  エンドミルカッター
９  ブレード支持手段
１２  特殊マルチアングルキー
１４  レーザーキー
１６  ビットキー
１８  シリンダーキー
２２  制御信号
【図１】
2006510832.tif 000003
【図２】
2006510832.tif 000004
【図３】
2006510832.tif 000005
【図４】
2006510832.tif 000006
【図５】
2006510832.tif 000007
【図６】
2006510832.tif 000008
【図７】
2006510832.tif 000009
【図８】
2006510832.tif 000010
【手続補正書】
【提出日】平成17年5月2日(2005.5.2)
【手続補正１】
【補正対象書類名】特許請求の範囲
【補正対象項目名】全文
【補正方法】変更
【補正の内容】
【特許請求の範囲】
【請求項１】
キー製造機であって、
a.あるキーグループから予備選択した全てのキーをクランプし、クランプしたキーを切削上固定するためのクランプ手段にして、
i.前記グループが、シリンダーキー、ビットキー、レーザーキー、特殊マルチアングルキーを含むキークランプ手段と、
b.前記クランプしたキーを切削し、該キーに対応する錠を解錠するために作働し得るキーを作成するためのキー切削手段と、
を含むキー製造機。
【請求項２】
キー切削手段が、予備選択した任意のキーが切削されたことを表す制御信号を発生する手段を含み、該制御信号を使用して、前記予備選択したキーの別のキーを同様に切削する請求項１のキー製造機。
【請求項３】
キー切削手段が、スロッター、円形切削ホイール、ミルカッターを含む請求項１のキー製造機。
【請求項４】
クランプされるキーが、対向する幅広の側部と、対向する縁部とを備えた細長のブレードにして、各前記縁部がブレードのヘッド部分から先端部分に伸延し、各前記側部が長手方向の一対の境界部分を含み、各境界部分が前記各縁部の１つに連結され、前記側部及び縁部の一方のみを切削中に支持するための支持手段を更に含み、
該支持手段が、キー切削手段とは無関係に可動である請求項１のキー製造機。
【請求項５】
a.キークランプ手段が、ミルカットキーをクランプするためのミルカットキークランプ手段を含み、
i.前記ミルカットキーが、ブレードのヘッド部から先端部に伸延する対向する幅広の側部を備えた細長のブレードを有し、
b.キー切削手段が、ミルカットキーの前記対向する幅広の側部を共に切削するための手段を含み、
i.キークランプ手段がキー切削手段とは無関係に可動であり、
かくして、前記ブレードがキークランプ手段内でミルカットキーを再固定することなく前記対向する幅広の側部を共に切削し得る請求項１のキー製造機。
【請求項６】
キー製造機であって、
a.あるグループから予備選択した、ブレードを有するキーの全てをクランプし、クランプしたキーを切削上固定するためのキークランプ手段にして、
i.前記グループが、シリンダーキー、ビットキー、レーザーキー、特殊マルチアングルキーを含み、
ii.キークランプ手段が、対向する一対のジョーを有し、該一対のジョーが任意の前記予備選択したキーの１つと作動上係合し、
iii.前記キークランプ手段が、切削するべきマルチアングルキーをクランプするためのマルチアングルキークランプ手段を含み、
(1)該マルチアングルキークランプ手段が、キー切削手段とは無関係に可動であり、
(2)キークランプ手段が、切削中はマルチアングルキーの前記ブレードの、切削される部分に近接する部分を支持するための手段とは無関係であり、
iv.キークランプ手段が、その両側部を切削されるべきブレードを備えるミルカットキーをクランプするためのミルカットキークランプ手段を含み、
(1)ミルカットキークランプ手段が、切削するべき前記ブレードの両側部を、再クランプすることなく位置決めするために、キー切削手段とは無関係に可動であり、
かくして、キー切削中にミルカットキーを再クランプすることなく前記ブレードの両側部が切削され得るキークランプ手段と、
b.シリンダーキー、ビットキー、レーザーキー、の任意のキーのブレードを切削中に支持するためのブレード支持手段にして、
i.キー切削手段とは無関係に可動であり、
ii.切削中においてキークランプ手段とは無関係に可動であるブレード支持手段と、
c.クランプされたキーを切削するためのキー切削手段にして、
i.スロッター、円形の形状切削ホイール、エンドミルカッター、を含み、
(1)キー切削手段が、マルチアングルキー切削用のスロッターを含み、
(2)キー切削手段が、エンドミルカットキー切削用のエンドミルカッターを含み、
(3)キー切削手段が、スロッター、ビットキー切削用の円形の形状切削ホイールを含み、
(4)キー切削手段が、スロッター、シリンダーキー切削用の円形の形状切削ホイールを含むキー切削手段と、
を含むキー製造機。
【請求項７】
キー製造機であって、
a.細長のブレードを有し、該ブレードのヘッド部から先端に伸延する対向する幅広の側部を備えるキーを切削するためのキー切削手段と、
b.切削中に前記ブレードを支持するためのブレード支持手段にして、
i.ブレードの幅広の側部の一方と接触する第１面と、他方の側部と接触する第２面とを有し、
ii.ブレードの前記幅広の側部の一方が切削される間の、前記第１面が該一方の側部と接触する第１位置と、前記側部の他方が切削される間の、前記第２面が側部の前記他方と接触する第２位置との一方に可動であり、
iii.キー切削手段とは無関係に可動であるブレード支持手段と、を含み、
切削するべき第１部分及び第２部分を有するブレードが、前記第１部分が切削される場合は前記第１位置に配置したブレード支持手段によりブレードの幅広の側部の一方において支持され得、前記第２部分が切削される場合は前記第２位置に配置したブレード支持手段によりブレードの幅広の側部の他方において支持され得るキー製造機。
【請求項８】
キー製造機であって、
a.切削するべきキーをクランプするためのキークランプ手段にして、
i.クランプされるキーが細長のブレードを有し、該ブレードが、対向する幅広の側部と、ブレードのヘッド部から先端部に伸延する対向する縁部とを備え、各前記側部が、一対の長手方向の境界部分を有し、各前記境界部分が前記対向する縁部の各１つに連結されたキークランプ手段と、
b.切削中、前記対向する幅広の側部と、ブレードの対向する縁部との一方のみを支持するための支持手段にして、
i.キークランプ手段とは無関係に可動である支持手段と、を含むキー製造機。
【請求項９】
キー製造機であって、
a.マルチアングルキー切削手段にして、
i.マルチアングルキーが、ヘッド部から先端部に伸延する細長のブレードを有し、ブレードに隣り合う複数の長手方向セグメントが該ブレードの長さ方向に沿って且つ前記ヘッド部から先端部に向けて順次位置付けられ、ヘッド部から伸延する前記長手方向セグメントの１つが、切削中は被切削面とは無関係とされ、前記長手方向セグメントの他の１つが、マルチアングル錠を解錠するために操作し得るキーを作成するべく切削中に切削され得る表面を有し、更に他の前記長手方向セグメントが先端部を有するマルチアングルキー切削手段と、
b.切削するべきマルチアングルキーをクランプするためのマルチアングルキークランプ手段にして、
i.マルチアングルキー切削手段とは無関係に可動であり、
ii.切削中は、マルチアングルキーのブレードの前記３つの長手方向セグメントを支持するための手段とは無関係であるマルチアングルキークランプ手段と、を含むキー製造機。
【請求項１０】
マルチアングルキー切削手段が、最初のマルチアングルキーが切削されたことを表示する制御信号を創出するための手段を含み、該制御信号を使用して別のマルチアングルキーを補切削し、マルチアングルキー切削手段がスロッターを含み、スロッターの周囲に沿った複数の個別の接線方向位置の各１つの位置でブレードとスロッターとを切削上接触させることにより複数のマルチアングルカットの各々が実施され得る請求項９のキー製造機。
【請求項１１】
キー製造機であって、
a.ミルカットキーをクランプするためのミルカットキークランプ手段にして、
i.ミルカットキーが細長のブレードを有し、該ブレードがヘッド部から先端部に伸延する対向する幅広の側部を有するミルカットキークランプ手段と、
b.ミルカットキーの対向する幅広の側部を共に切削するための手段を含むミルカットキー切削手段にして、
i.再クランプすることなくブレードの対向する両側部を切削するべく、ブレードを切削上位置決めするための手段とは無関係に可動であるミルカットキー切削手段とを含み、
ブレードの前記両側部が、ミルカットキーの切削中にミルカットキーを再クランプすることなく切削され得るキー製造機。
【請求項１２】
キー製造機であって、
a.あるキーグループから任意に予備選択したキーをクランプし、該クランプしたキーを前記予備選択したキーを再固定するのとは無関係に切削するために固定するためのキークランプ手段にして、
前記キーグループが、ビットキーと、シリンダーキー、特殊マルチアングルキー、レーザーキーの少なくとも２つとを含むキークランプ手段と、
b.クランプしたキーに相当する錠を解錠するために作用し得るキーを作成するために前記クランプしたキーを切削するためのキー切削手段と、
を含むキー製造機。
【請求項１３】
キー製造機であって、
a.シャンクと、ビット部分とを備えるブレードを有するビットキーのビット部分を切削するための切削手段にして、
i.切削中はブレードのビット部分を指示するための手段とは無関係である切削手段と、
b.切削するべきビットキーのシャンクをクランプするためのクランプ手段にして、
i.切削手段とは無関係に可動であり、
ii.切削中はブレードのビット部分を指示するための手段とは無関係であるクランプ手段と、
を含むキー製造機。
【手続補正２】
【補正対象書類名】明細書
【補正対象項目名】０００８
【補正方法】変更
【補正の内容】
【０００８】
キーの４つの種類には以下のものがある。
１）シリンダーキーあるいはV字カットキー：片方の縁部あるいは、Ford車におけるような両縁部を切削したキーであり、http://www.silca.it/download/brochure/eng/KeyMachines/bravogbD01.pdf.のSilca Bravo Superキー製造機、あるいはhttp://www.silca.it/download/brochure/eng/KeyMachines/399gbD01.pdf.の、電子暗号切削用のSilca Unocodeキー製造機、若しくは、Silca Formula XあるいはHPC 暗号製造機におけるような形状切削ホイールを使用して切削可能である。
２）ビットキー：スクエアノッチキー、モーティス（ほぞ穴）キー、レバーキーあるいはスケルトンキーとも称され、ダブルビットキーが含まれる。こうしたキーを切削するためには、http://www.silca.it/download/brochure/eng/KeyMachines/techgbD01.pdf.のSilca Tech 3 Europaのような、立削りホイールあるいはスロッターホイール（あるいは単にスロッター）を使用する必要がある。
３）特殊マルチアングルキー：スクエアノッチアングルキーとも称され、Tibbeキー、Abloyキー、Ford Chubbキー、Ford FO19キーが含まれる。これらのキーは、http://www.silca.it/download/brochure/eng/KeyMachines/delmecgbD01.pdf.のSilca Delta 2000 MC Multi Copyの様なキー製造機で製造される。
４）レーザーキー：サイドミル(side milled)キー、エンドミル(end mill)キー、ミルド（milled）キーとも称され、ディンプル（dimple）キーが含まれる。ディンプルキーは、切削工具を平削り工具から丸形（round）のエンドミル工具に替え、エンドミルカッター及び別の治具を用いて形成した、メルセデス車のキーやチューブキーにおけるような屈曲した溝とは対照的なディンプルをキーに彫り込むことで切削することができる。このタイプのキー製造機では、http://www.silca.it/download/brochure/eng/KeyMachines/4codegbD01.pdf.のSilca Quattrocodeにおけるような様々のミル工具あるいはディンプル工具が使用される。
【手続補正３】
【補正対象書類名】明細書
【補正対象項目名】００２３
【補正方法】変更
【補正の内容】
【００２３】
好ましい実施例におけるキー製造機は、あるグループの任意のキーをクランプするためのキークランプ手段５と、シリンダーキー１８、ビットキー１６、レーザーキー１４の内の任意のキーのブレードを支持するための支持手段と、複数の主要種類のキーから任意に予備選択したキーを切削するためのキー切削手段４とを含む。キーグループは、各々がレード７を有する複数の主要種類のキーを含み、主要種類のこれらキーには、シリンダーキー、ビットキー、レーザーキー、特殊マルチアングルキー、の任意の２つあるいはそれ以上が含まれる。
【手続補正４】
【補正対象書類名】明細書
【補正対象項目名】００２６
【補正方法】変更
【補正の内容】
【００２６】
キー製造機の別の実施例は、ブレード７を有するキーを切削するためのキー切削手段４と、切削中にブレードを支持するためのブレード支持手段とを含む。ブレード支持手段は、キー切削手段４とは無関係に可動であり、かくして、切削するべき第１部分及び第２部分を有するブレード７が、図１及び図２に夫々示すように、第１部分を切削する際は第１位置に配置したブレード手段によって第１部分が支持され、他方、第２部分を切削する際は第２位置に配置したブレード手段によって第２部分が支持され得る。レーザーキーの上部及び底部に、エンドミルカッターの底部及び上部によって各溝が切削され得る。
【手続補正５】
【補正対象書類名】明細書
【補正対象項目名】００２８
【補正方法】変更
【補正の内容】
【００２８】
他の実施例において、キー製造機は、ブレード７を有する被切削キーをクランプするキークランプ手段と、ブレード７を支持するブレード支持手段９とを含む。ブレード支持手段９は、切削中はキークランプ手段５とは無関係に可動である。
【手続補正６】
【補正対象書類名】明細書
【補正対象項目名】００２９
【補正方法】変更
【補正の内容】
【００２９】
図１に示すように、キー切削手段４は切削ホイール３を含み得る。
図１、図３〜図４及び図６を参照するに、キー切削手段４は立削り盤あるいはスロッター１を含み得る。図３に示すように、スロッター１の周囲に沿った複数の接線方向位置の１つの位置でブレード７とスロッターとを接触させることにより、複数のマルチアングルカットがブレード７に形成され得る。
【国際調査報告】
2006510832.tif 000011
2006510832.tif 000012